(57)【要約】【課題】簡単な操作により、既設ガスメータの設定データを新設ガスメータに移植することのできるガスメータ用設定データ移植器を提案すること。【解決手段】ガスメータ用設定データ移植器１を既設ガスメータ２０に接続して、操作ボタン７を押すと、既設ガスメータの設定データＤ（２０）の一括読み込み動作が行われ、ＲＡＭ１１内に保持される。ガスメータ用設定データ移植器１を新設ガスメータ３０に接続して、操作ボタン７を押すと、ＲＡＭ１１内の設定データＤ（２０）が一括して新設ガスメータ３０に書き込まれる。ガスメータ２０、３０に対する接続作業と、単一の操作ボタン７の操作のみで、設定データを移植することができる。【選択図】図４
2006330882.tif 000002
【特許請求の範囲】
【請求項１】
ガスメータとの間で通信を行うための通信手段と、
前記通信手段を介して、前記ガスメータに設定されている設定データを読み込むための読み込み手段と、
前記読み込み手段によって読み込まれた設定データを記憶保持するための記憶手段と、
前記通信手段を介して、前記記憶手段に保持されている前記設定データをガスメータに書き込むための書き込み手段と、
設定データの読み込み動作および書き込み動作を起動するための操作ボタンと、
前記操作ボタンが操作されると、前記記憶手段に前記設定データが保持されていない場合には前記書き込み手段による設定データの読み込み動作を行わせ、前記記憶手段に前記設定データが保持されている場合には前記書き込み手段による設定データの書き込み動作を行わせる制御手段とを有していることを特徴とするガスメータ用データ移植器。
【請求項２】
請求項１において、
ガスメータに書き込まれた設定済みデータを前記記憶手段に保持されている前記設定データと照合するデータ照合手段を有し、
前記制御手段は、前記書き込み手段による前記設定データの書き込み動作の終了後に、前記読み込み手段によってガスメータに書き込まれた設定済みデータを読み込ませ、前記データ照合手段によって設定済みデータの照合を行わせることを特徴とするガスメータ用データ移植器。
【請求項３】
請求項２において、
前記設定データの読み込み不能状態あるいは書き込み不能状態に陥った場合に、その旨を表示する表示手段を有し、
前記制御手段は、読み込み不能状態あるいは書き込み不能状態において、前記操作ボタンが操作されると、前記読み込み手段あるいは前記書き込み手段による動作を最初から行わせることを特徴とするガスメータ用データ移植器。
【請求項４】
請求項２において、
前記表示手段は、前記データ照合手段による照合結果、並びに、前記読み込み手段による設定データの読み込み動作の進捗状況、および、前記書き込み手段による設定データの書き込み動作の進捗状態を表示することを特徴とするガスメータ用データ移植器。
【請求項５】
請求項４において、
前記表示手段は、
複数の設定項目が記載されたマークシートを表示し、
読み込み、あるいは書き込みが終了した設定項目毎にマーキング表示を行うことにより、動作の進捗状態を表示することを特徴とするガスメータ用データ移植器。
【請求項６】
請求項１ないし５のうちのいずれかの項において、
前記制御手段は、
前記操作ボタンが第１の時間以上に亘って操作されない状態が継続した場合、および、当該操作ボタンが第２の時間以上に亘って操作された場合に、前記の各手段を消費電力が少ないスタンバイ状態に切り替え、
当該スタンバイ状態において前記操作ボタンが操作されると、当該スタンバイ状態を解除することを特徴とするガスメータ用データ移植器。
【発明の詳細な説明】
【技術分野】
【０００１】
本発明は、既設ガスメータを新たなものと交換する場合に、既設ガスメータの設定データを新設ガスメータに設定するために用いるガスメータ用データ移植器に関するものである。
【背景技術】
【０００２】
計量法により、既設ガスメータが検定満期を迎えた場合には、計量誤差などの問題から新たなガスメータに交換することが義務付けられている。ガスメータを交換する際には、既設ガスメータの各種の設定データを、新設ガスメータに移植する作業が必要である。従来においては、ガスメータ専用設定器を用いて設定する方法、ガスメータ設定機能搭載型の伝送装置(ＮＣＵ)を用いて設定する方法、あるいは、電話回線網を利用して、管理センタの側から伝送装置を介して設定する方法が知られている。
【０００３】
いずれの方法においても、既設ガスメータの設定値を一項目毎に読み込み、読み込んだ設定データをメモ用紙などに書き止めておき、書き止めたメモ用紙などを見ながら、新設ガスメータに当該設定値を設定する作業を繰り返し行う必要がある。
【０００４】
例えば、ガスメータ専用設定器を用いる場合の作業手順は次のようになる。まず、既設ガスメータにガスメータ専用設定器を接続し、ガスメータ専用設定器のキーを操作して、設定値の要求項目を選択し、既設ガスメータから必要な設定値を一項目読み込むための要求を出す(すなわち、当該要求を表す電文を既設ガスメータに入力する)。ガスメータ専用設定器は、既設ガスメータからの返信を受け取ると、表示画面に受信した設定項目の設定値を表示する。操作者は表示された設定値をメモ用紙などに書き写しておく。次に、ガスメータ専用設定器を既設ガスメータから外し、新設のガスメータに接続する。そして、ガスメータ専用設定器のキーを操作して、メモ用紙などの書き写してある設定値を入力する。入力された設定値は新設ガスメータに送信され、そこに設定される。以上の手順による設定動作を設定項目数分、繰り返すことにより、既設ガスメータの設定データを新設ガスメータに移植する作業が終了する。
【発明の開示】
【発明が解決しようとする課題】
【０００５】
このように、従来における既設ガスメータの設定データを新設ガスメータに移植する設定作業は、多数の操作手順を必要としており、操作方法が複雑である。したがって、設定作業に精通している人でないと設定作業が困難である。また、設定項目毎に多数のキー操作を必要とするので、入力ミスなどにより新設ガスメータに間違った設定をしてしまう可能性が高い。
【０００６】
さらに、管理センタから遠隔操作により設定作業を行う方法では、電話回線網を利用するので、通信料金を要するという欠点がある。
【０００７】
一方、従来のガスメータ専用設定器などにおいては、既設ガスメータから読み込んだ設定内容が表示画面に数字の羅列で表示される。したがって、設定作業に精通した操作者でないと、表示内容を読み間違える可能性があり、また、表示された数字の意味は、関連資料を参照しないと分からない可能性がある。このため、新設ガスメータの設定内容をガスメータの管理台帳に記入する必要がある場合などにおいては、記入に時間を要し、また、記入ミスが起き易いという問題がある。
【０００８】
本発明の課題は、このような点に鑑みて、既設ガスメータの設定データを新設ガスメータに移植する作業を、簡単な操作により正確に行うことのできるガスメータ用データ移植器を提案することにある。
【課題を解決するための手段】
【０００９】
上記の課題を解決するために、本発明のガスメータ用データ移植器は、
ガスメータとの間で通信を行うための通信手段と、
前記通信手段を介して、前記ガスメータに設定されている設定データを読み込むための読み込み手段と、
前記読み込み手段によって読み込まれた設定データを記憶保持するための記憶手段と、
前記通信手段を介して、前記記憶手段に保持されている前記設定データをガスメータに書き込むための書き込み手段と、
設定データの読み込み動作および書き込み動作を起動するための操作ボタンと、
前記操作ボタンが操作されると、前記記憶手段に前記設定データが保持されていない場合には前記書き込み手段による設定データの読み込み動作を行わせ、前記記憶手段に前記設定データが保持されている場合には前記書き込み手段による設定データの書き込み動作を行わせる制御手段とを有していることを特徴としている。
【００１０】
本発明のガスメータ用データ移植器では、操作ボタンを一回操作すると、通信接続されている既設ガスメータから設定データが読み込まれて記憶手段に記憶保持される。あるいは、通信接続されている新設ガスメータに対して、記憶手段に記憶保持されている設定データの書き込み動作が行われる。したがって、既設ガスメータの設定データを読み込み、これを紙などに書き写して、新設ガスメータに書き込むという操作を行う必要がない。また、一回のボタン操作によって、設定データの読み込み、あるいは書き込みがそれぞれ一括して行われる。よって、設定データを一項目ずつ移植する操作が不要になる。よって、設定データの移植作業を短時間で、簡単かつ正確に行うことができる。
【００１１】
ここで、本発明のガスメータ用設定データ移植器は、ガスメータに書き込まれた設定済みデータを前記記憶手段に保持されている設定データと照合するデータ照合手段を有し、前記制御手段は、前記書き込み手段による前記設定データの書き込み動作の終了後に、前記読み込み手段によってガスメータに書き込まれた移植済みデータを読み込ませ、前記データ照合手段によって設定済みデータの照合を行わせることを特徴としている。この構成によれば、設定データの移植が正確に行なわれたことを確認できる。
【００１２】
また、本発明のガスメータ用設定データ移植器は、前記設定データの読み込み不能状態あるいは書き込み不能状態に陥った場合に、その旨を表示する表示手段を有し、前記制御手段は、読み込み不能状態あるいは書き込み不能状態において、前記操作ボタンが操作されると、前記読み込み手段あるいは前記書き込み手段による動作を最初から行わせることを特徴としている。
【００１３】
例えば、設定データの読み込み中などにおいて既設ガスメータとの通信が遮断されて、読み込み不能状態に陥った場合には、そのことが表示されるので、操作者はかかる異常状態を知ることができる。また、このような場合にも、操作ボタンを一回操作するだけで、再度、読み込み動作が最初から始まるので、再読み込みの操作も極めて簡単である。
【００１４】
ここで、本発明のガスメータ用設定データ移植器の前記表示手段は、前記データ照合手段による照合結果、並びに、前記読み込み手段による設定データの読み込み動作の進捗状況、および、前記書き込み手段による設定データの書き込み動作の進捗状態を表示することを特徴としている。
【００１５】
設定データの読み込み動作あるいは書き込み動作の進捗状態を表示すると、操作者は、動作が正常に行われていることを視覚により認識でき、また、残りの読み込み項目数あるいは書き込み項目数も知ることができるので、動作完了までの待ち時間による精神的負担が軽減される。
【００１６】
また、本発明のガスメータ用設定データ移植器の前記表示手段は、複数の設定項目が記載されたマークシートを表示し、読み込み、あるいは書き込みが終了した設定項目毎にマーキング表示を行うことにより、動作の進捗状態を表示することを特徴としている。
【００１７】
マークシート表示方式を採用すれば、設定状態が一目で理解できるという利点がある。また、ガスメータの管理台帳をマークシート方式とし、当該マークシートと表示手段の表示画面に表示されるマークシートを同一形態としておけば、表示画面を見ながらガスメータの管理台帳へ記入する作業を正確かつ簡単に行うことが可能になる。また、コンピュータシステムを用いてマークシート方式の管理台帳のデータを読み取ることにより、ガスメータ設定内容の管理業務の効率化を達成できる。
【００１８】
次に、本発明のガスメータ用データ移植設定器の前記制御手段は、前記操作ボタンが第１の時間以上に亘って操作されない状態が継続した場合、および、当該操作ボタンが第２の時間以上に亘って操作された場合に、前記の各手段を消費電力が少ないスタンバイ状態に切り替え、当該スタンバイ状態において前記操作ボタンが操作されると、当該スタンバイ状態を解除することを特徴としている。
【００１９】
省電力モードであるスタンバイ状態に切り替えると、例えば、電源として電池電源などを用いる場合に有利である。また、スタンバイ状態への切り替え、およびその状態から通常の状態への復帰も操作ボタンの操作により行われる。このように、単一の操作ボタンを操作するのみでよいので、操作が極めて簡単であるという利点もある。
【発明の効果】
【００２０】
本発明のガスメータ用設定データ移植器では、設定データの読み込み操作および書き込み操作を、単一の操作ボタンを操作することにより一括して行うことができるように構成されている。したがって、従来のように、読み込み操作において既設ガスメータの設定データの内容を一項目毎に紙などに書き写す必要がなく、また、書き込み操作において設定内容を書き写した紙などを見ながら複数の操作キーを操作する必要がなく、単に、通信接続状態を確立して単一の操作ボタンを操作するだけでよい。よって、既設ガスメータの設定データを新設のガスメータに移す移植作業の効率化を図ることができる。
【発明を実施するための最良の形態】
【００２１】
以下に、図面を参照して、本発明を適用したガスメータ用設定データ移植器の一例を説明する。
【００２２】
（構成の説明）
図１は本発明を適用したガスメータ用設定データ移植器の正面図である。本例のガスメータ用設定データ移植器１は、移植器本体２と、この移植器本体２から引き出されたメータ接続ケーブル３と、このメータ接続ケーブル３の先端に取り付けられているメータ接続端子４とを有している。メータ接続端子４を、ガスメータの側の通信用接続端子に接続すると、ガスメータ用設定データ移植器１とガスメータが通信接続状態となり、これらの間で電文通信が可能な状態になる。
【００２３】
移植器本体２は全体として扁平な直方体形状をしており、その操作面５の上半部分には、液晶表示器６の表示画面６ａが配置されている。表示画面６ａの右下には、設定データの読み込み動作や書き込み動作などの各種の動作を行わせるための単一の操作ボタン７が配置されている。
【００２４】
図２はガスメータ用設定データ移植器１の制御系を示す概略ブロック図である。ガスメータ用設定データ移植器１の制御系は、マイクロコンピュータからなる制御部８を中心に構成されている。制御部８はＣＰＵ９、ＲＯＭ１０、およびＲＡＭ１１を備え、ＲＯＭ１０内に格納されている制御プログラムを実行することにより後述する各種の動作を行うことが可能となっている。本例の制御部８は、既設ガスメータの設定データを読み込む読み込み手段として機能すると共に、読み込まれた設定データを新設ガスメータに書き込む書き込み手段として機能する。ＲＡＭ１１には、既設ガスメータから読み込まれた設定データが記憶保持され、また、設定データの読み込み動作の進捗状態、設定データの書き込み動作の進捗状態も記憶保持される。
【００２５】
制御部８には、ボタン用インタフェース１３を介して、操作ボタン７が接続されている。また、液晶表示器６も接続されている。さらに、制御部８は、通信用インタフェース１４を介してメータ接続ケーブル３の側にも接続されており、ガスメータの側と電文通信を行う通信手段として機能する。なお、本例のガスメータ用設定データ移植器１の駆動電源は電池１５であり、その給電経路には電源スイッチ１６が配置されている。
【００２６】
（基本動作の説明）
図３はガスメータ用設定データ移植器１の基本動作を示す概略フローチャートである。まず、電源投入状態において、予め定められた時間Ｔ１以上に亘ってボタン操作が行われない場合には(ステップＳＴ１、７)、動作モードが通常動作モードから省電力モードであるスタンバイ状態に切り替わる(ステップＳＴ９)。また、通常動作モードにおいて操作ボタン７が所定時間ｔ１以上に亘り押下された場合にもスタンバイ状態に切り替わる(ステップＳＴ１、２、９)。但し、設定データを保持している場合には(ステップＳＴ８)、通常動作モードのままである(読み込み動作後、書き込み未処理の場合)。
【００２７】
したがって、不使用状態が継続した場合には自動的にスタンバイ状態に切り替わり、消費電力が削減される。また、必要に応じて、操作者によってスタンバイ状態に切り替えることも可能である。スタンバイ状態から通常動作状態に復帰させるためには、操作ボタン７を操作すればよい(ステップＳＴ１、２、３、１０)。
【００２８】
次に、通常動作状態において操作ボタン７が通常の形態で(すなわち、時間ｔ１より短い時間だけ)操作された場合には、ＲＡＭ１１にガスメータの設定データが記憶保持されているか否かを判別する(ステップＳＴ４)。設定データが記憶保持されていない場合には、ガスメータから設定データを読み込む動作を行い、読み込まれた設定データをＲＡＭ１１に記憶保持する(ステップＳＴ５)。ＲＡＭ１１に設定データが既に記憶保持されている場合には、ＲＡＭ１１に記憶されている設定データを、ガスメータに向けて転送して、そこに設定する書き込み動作を行う(ステップＳＴ６)。
【００２９】
（データ移植の作業手順）
図４は、ガスメータ用設定データ移植器１を用いて、既設ガスメータの設定データを新設ガスメータに移植する際の作業手順を示す説明図である。設定データの移植作業においては、まず、ガスメータ用設定データ移植器１を既設ガスメータ２０に接続し(手順１)、操作ボタン７を押す(手順２)。この後は、上述のようにガスメータ用設定データ移植器１の読み込み動作が開始されるので、既設ガスメータ２０の設定データＤ(２０)の読み込み動作が終了するのを待つ(手順３)。
【００３０】
次に、ガスメータ用設定データ移植器１を既設ガスメータ２０から切り離して、新設ガスメータ３０に接続し(手順４)、操作ボタン７を押す(手順５)。これにより、前述のようにガスメータ用設定データ移植器１の書き込み動作が開始されるので、ＲＡＭ１１に保持されている設定データＤ(２０)が新設ガスメータ３０に書き込まれるのを待つ(手順６)。書き込み動作が終了した後、すなわち、移植動作が終了した後は、液晶表示器６の画面６ａに表示される新設ガスメータ３０の設定済みデータＤ(３０)を確認する(手順７)。
【００３１】
（設定データの読み込み動作）
次に、図５はガスメータ用設定データ移植器１の読み込み動作(図３のステップＳＴ５)を示す概略フローチャートであり、図６はその書き込み動作(図３のステップＳＴ６)を示す概略フローチャートである。まず、図５を参照して、既設ガスメータ２０から設定データを読み込む読み込み動作を説明する。
【００３２】
ガスメータ用設定データ移植器１を既設ガスメータ２０に接続した状態において、操作ボタン７が押下されると(ステップＳＴ５１)、ガスメータに対して項目毎に設定データの要求を行う。一つ目の設定データの要求を行い(ステップＳＴ５２(１))、これに応答してガスメータからは当該ガスメータの記憶部に記憶保持されている一つ目の設定データが送信されるのを待つ。
【００３３】
一つ目の設定データを受信すると、受信データのエラーチェックを行い(ステップＳＴ５３(１))、受信データにエラーが無いと判定された場合には、その受信データをＲＡＭ１１に保存する(ステップＳＴ５４(１))。次に、一つ目のデータの読み込みが完了した旨を表す読み込み動作の進捗状況を液晶表示器６の表示画面６ａに表示する(ステップＳＴ５５(１))。読み込み操作の進捗状況の表示例については後述する。一方、受信データにエラーがある場合には、読み込みエラーが発生した旨を液晶表示器６の表示画面６ａに表示する(ステップＳＴ５３(１)、５６(１))。
【００３４】
以上の動作を繰り返し行い、最後のｎ番目の設定データをＲＡＭ１１に保存すると(ステップＳＴ５４(ｎ))、読み込み操作が正常に完了した旨を液晶モニタ５に表示する(ステップＳＴ５５(ｎ))。
【００３５】
図７(ａ)には読み込み動作の進捗状況の表示例を示してあり、液晶表示器６の画面６ａには、ＲＡＭ１１に設定データが保存される毎に、画面右側から左側に向かって長方形状の黒塗りマーク７１(１)、７１(２)、７１(３)、７１(４)・・・が一つずつ表示され、最後のｎ番目の設定データの保存が完了すると、読み込み操作が正常に完了した旨を表す「good」の文字７１(ｎ)が表示されるようになっている。
【００３６】
一方、設定データにエラーがあると判定された場合には、既設ガスメータ２０との通信を中断すると共に、液晶表示器６の画面６ａに、エラーが発生したことを告知するメッセージ、例えば「Ｅ−１」の文字を表示する(ステップＳＴ５６)。このエラー表示の状態で、操作ボタン７が押下されると、ガスメータとの通信を再び開始し、上記の読み込み操作を最初から実行する。エラーが発生した項目から読み込みを行うようにすることも可能である。
【００３７】
（設定データの書き込み動作）
次に、図６を参照して、ＲＡＭ１１に記憶されている設定データを新設ガスメータ３０に向けて転送してそこに設定する書き込み動作を説明する。ガスメータ用設定データ移植器１を新設ガスメータ３０に接続した状態において、操作ボタン７が押下されると(ステップＳＴ６１)、新設ガスメータ３０に対して、ＲＡＭ１１に記憶保持されている既設ガスメータの設定データを項目毎に転送する。一つ目の設定データの転送を行うと(ステップＳＴ６２(１))、ガスメータ３０は、その記憶部に一つ目の設定データを保存すると共に、当該保存動作が正常に行われたか否かを表す信号を返信する。当該信号を受信すると、この信号から保存動作が正常に行われたか否かのチェックを行う(ステップＳＴ６３(１))。
【００３８】
保存動作が正常に行われたと判定された場合には、書き込み操作の進捗状況を液晶表示器６の画面６ａに表示する(ステップＳＴ６４(１))。書き込み操作の進捗状況の表示例については後述する。
【００３９】
以上の動作を繰り返し行い、最後のｎ番目の設定データを転送し(ステップＳＴ６２(ｎ))、次のステップＳＴ６３(ｎ)において、新設ガスメータ３０からの応答により保存動作が正常に完了したと判定すると、書き込み操作が正常に完了した旨を液晶表示器６の画面６ａに表示する(ステップＳＴ６４(ｎ))。
【００４０】
図７(ｂ)には書き込み操作の進捗状況の表示例を示してあり、液晶表示器６には、新設ガスメータ３０に対する設定データの転送が正常に完了する毎に、図７(ａ)を参照して説明した読み込み操作とは逆の画面左側から右側に向かって長方形状の黒塗りマーク７２(１)、７２(２)、７２(３)、７２(４)・・・が一つずつ表示され、最後のｎ番目の設定データの転送が正常に完了すると、書き込み操作が正常に完了した旨を表す「good」の文字７２(ｎ)が表示されるようになっている。
【００４１】
一方、図６を再び参照して説明すると、新設ガスメータ３０からの信号によって、設定データの保存動作が正常に行われなかったと判定された場合には、新設ガスメータ３０との通信を中断すると共に、液晶表示器６にエラーが発生したことを告知するメッセージ、例えば「Ｅ−２」の文字を表示する(ステップＳＴ６５)。このエラー表示の状態で、操作ボタン７を押下すると、制御部８は、ガスメータとの通信を再び開始し、上記の書き込み操作を最初から実行する。書き込み操作を、エラーが発生した所から実行するようにすることも可能である。
【００４２】
次に、新設ガスメータ３０に既設ガスメータ２０の設定データを書き込む書き込み動作が完了した後は、新設ガスメータ３０に対して、当該ガスメータ３０に書き込まれた設定済みデータＤ(３０)の要求を行う(ステップＳＴ６６)。その要求に応答して新設ガスメータ３０から返信されてくる設定済みデータＤ(３０)と、ＲＡＭ１１に記憶保持されている設定データＤ(２０)とを照合し(ステップＳＴ６７)、これらが一致しない場合には、液晶表示器６にそのことを告知するメッセージ、例えば「Ｅ−３」の文字を表示する(ステップＳＴ６８)。この場合には、操作ボタン７の押下により、再度、設定データの書き込みを最初からやり直し、照合が一致するようにすればよい。照合がとれた場合には、設定済みデータＤ(３０)を液晶表示器６に表示する(ステップＳＴ６９)。
【００４３】
（画面表示例）
図８(ａ)には、設定済みデータＤ(３０)の画面表示例を示してある。液晶表示器６の画面６ａには、設定項目が記載されている。表示されるマーク画像には設定項目毎にマーク表示部８１がついている。そして、各マーク表示部は設定内容に対応したマーク表示状態となっている。
【００４４】
ここで、図８(ｂ)に示すように、設定内容を表すマーク表示内容と同一のガスメータ管理台帳用紙９０を用意し、設定作業者に、表示されているマークを用紙９０の対応する欄に記入させるようにすればよい。このようにすれば、新設ガスメータ３０に設定した内容について、設定作業者は画面表示通りに、用紙９０にチェックするだけで記入作業が終了する。よって、管理台帳用紙への設定内容の記入作業が簡単になり、また、記入ミスも少なくなる。さらに、ガスメータの設定内容の統括管理局にとっても、設定作業者の記入がマークチェックのみなので、記入内容の把握も容易になる。これに加えて、このように用紙９０をマークシートにすることにより、ガスメータ管理をコンピュータを用いた管理システムにより行うことが可能になり、正確にガスメータ設定内容の管理を行うことができ、また、かかる管理業務の効率化も達成できる。
【００４５】
なお、各設定項目の内容は次の通りである。
(１)ＣＯ：流量区分５、６の継続使用時間遮断監視時間を２０分に固定設定(有／無)
(２)未接続：ガス漏れ警報器未接続判定停止設定(有／無)
(３)拡張１：拡張１設定(有／無)
(４)拡張２：拡張２設定(有／無)
(５)ＢＲ止：圧力式(上流)微少漏洩監視設定(有／無)
(６)ＡＢＲ止：調整圧(供給圧、閉塞圧)異常検知機能設定(有／無)
(７)１６０分：流量区分２の継続使用時間遮断監視時間をマイコンメータの学習機能によって設定／下限値(１６０分)に固定
【００４６】
また、図８(ａ)の表示例の設定内容は以下の通りである。
(１)ＣＯ：有
(２)未接続：無
(３)拡張１：無
(４)拡張２：有
(５)ＢＲ止：有
(６)ＡＢＲ止：無
(７)１６０分：無(学習設定)
【００４７】
（作用効果）
以上説明したように、本例のガスメータ用設定データ移植器１では、設定データの読み込み操作および書き込み操作を、単一の操作ボタン７を操作するだけで、一括して行うことができる。したがって、従来のように、読み込み操作において既設ガスメータの設定データの内容を一項目毎に紙などに書き写す必要がなく、また、書き込み操作において設定内容を書き写した紙などを見ながら複数の操作キーを繰り返し操作する必要がない。よって、既設ガスメータの設定データを新設ガスメータに移植する作業の効率化を図ることができる。
【００４８】
また、新設ガスメータ３０に設定した移植済みデータを、マークシートの表示形態で表示している。したがって、画面を一瞥しただけで設定内容を確認できるので便利である。また、ガスメータ管理台帳用紙として、表示されている形態と同一のマークシートを用いれば、設定内容をマークシートに転記する作業を、簡単かつミスなく行うことができる。さらには、マークシートを用いることにより、ガスメータの管理をコンピュータシステムを用いて、正確かつ効率的に行うことも可能になる。
【図面の簡単な説明】
【００４９】
【図１】本発明を適用したガスメータ用設定データ移植器の概略正面図である。
【図２】図１に示すガスメータ用設定データ用移植器の制御系を示す概略ブロック図である。
【図３】図１の移植器の基本動作を示す概略フローチャートである。
【図４】図１の移植器を用いた設定データの移植作業手順を示す説明図である。
【図５】図１の移植器の設定データの読み込み動作を示す概略フローチャートである。
【図６】図１の移植器の設定データの書き込み動作を示す概略フローチャートである。
【図７】(ａ)は読み込み動作の進捗状況の表示例を示す説明図であり、(ｂ)は書き込み動作の進捗状況の表示例を示す説明図である。
【図８】(ａ)はガスメータの設定データの表示例を示す説明図であり、(ｂ)は管理台帳用紙として用いるマークシートの例を示す説明図である。
【符号の説明】
【００５０】
１  ガスメータ用設定データ移植器
２  設定器本体
３  メータ接続ケーブル
４  メータ接続端子
５  操作面
６  液晶表示器
６ａ  表示画面
７  操作ボタン
８  制御部
１１  ＲＡＭ
２０  既設ガスメータ
Ｄ(２０)  設定データ
３０  新設ガスメータ
Ｄ(３０)  設定済みデータ
【図１】
2006330882.tif 000003
【図２】
2006330882.tif 000004
【図３】
2006330882.tif 000005
【図４】
2006330882.tif 000006
【図５】
2006330882.tif 000007
【図６】
2006330882.tif 000008
【図７】
2006330882.tif 000009
【図８】
2006330882.tif 000010